【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】
衣類を受け入れるための、対向した内側両側面を有する内部領域を画定するキャビネットと、
前記キャビネットに移動自在に連結されたドアと、
衣類を被せることができる膨満自在の袋を有し、前記内部領域内に衣類を支持するためのハンガーと、
前記キャビネットによって支持されており、衣類を前記キャビネットの前記内側両側面に当ててプレスするために前記膨満自在の袋を膨満させるためのブロアと、
を含む衣類処理装置。
【請求項２】
キャビネットの前記内部領域内に入れられた衣類を加湿するために湿り空気を該内部領域内へ導入するための水分発生器を含む請求項１に記載の衣類処理装置。
【請求項３】
キャビネットに移動自在に連結されたドアが、前記対向した内側両側面の１つを画定する請求項１に記載の衣類処理装置。
【請求項４】
膨満自在の袋は、前記ハンガーに着脱自在に取り付けられている請求項１に記載の衣類処理装置。
【請求項５】
膨満自在の袋は、再密封自在の閉鎖部材を備えた底部開口を有する請求項４に記載の衣類処理装置。
【請求項６】
膨満自在の袋は、前記ハンガーに対して密封された上方開口を有することを特徴とする請求項５に記載の衣類処理装置。
【請求項７】
キャビネットの内部領域内に支持された衣類が袖を有し、
衣類処理装置が、
前記内部領域内で支持され、前記袖を巻きつけることができる１対の袖支持バーと、
衣類の袖を、対向した内側両側面に向けて引張るための手段と、
を更に含む請求項１に記載の衣類処理装置。
【請求項８】
キャビネットの内部領域内に支持された衣類が袖を有し、
衣類処理装置が、
前記内部領域内で支持され、前記袖を巻きつけることができる１対の袖支持バーと、
内部領域に隣接して支持された１対の引込み自在のリールにして、支持コードと、該支持コードに連結したクランプとを有し、該クランプが、前記袖支持バーの周りに巻きつけられた袖が該リールによって引張られるように前記衣類の袖に取り付けることができる引込み自在のリールと、
を更に含む請求項１に記載の衣類処理装置。
【請求項９】
キャビネットの内部領域内に支持された衣類が袖を有し、
衣類処理装置が、
前記内部領域内で支持され、前記袖を巻きつけることができる１対の袖支持バーと、
前記内部領域に隣接して支持された１対の弾性バンドにして、前記袖支持バーの周りに巻きつけられた袖が引張されるように前記衣類の袖に取り付けることのできるクランプを有する弾性バンドと、
を更に含む請求項１に記載の衣類処理装置。
【請求項１０】
キャビネットの内部領域内に入れられた衣類を乾燥させるために該内部領域に加熱空気を導入するための加熱空気導入手段と、
制御手段にして、前記内部領域内に湿り空気を導入するために、湿り空気を前記内部領域内に導入するための手段を作動させるとともに、前記膨満自在の袋を周期的に膨満させるために前記ブロアを間欠的に作動させるスチーム付与時間と、前記膨満自在の袋を膨満させるために前記ブロアを作動させるプレス時間と、該プレス時間中、加熱空気を前記内部領域内へ導入するために前記加熱空気導入手段を作動させる乾燥時間と、を設定するための制御手段と、
を更に含む請求項１に記載の衣類処理装置。
【請求項１１】
前記キャビネット内に支持されており、前記内部領域を、各々対向した側面を有する複数の画室に分離するための仕切壁を含み、前記ハンガーは該画室の１つに配置されており、前記膨満自在の袋を膨満させたとき、衣類が、該ハンガーが配置されている該画室の対向した側面に当ててプレスされるようになされている請求項１に記載の衣類処理装置。
【請求項１２】
各々膨満自在の袋を有する複数のハンガーが前記キャビネット内に支持されており、前記各画室に１つの各ハンガーが設けられている請求項１１に記載の衣類処理装置。
【請求項１３】
前記仕切壁は、前記キャビネットにヒンジによって連結されており、開放位置と閉鎖位置の間で回動自在とされている請求項１２に記載の衣類処理装置。
【請求項１４】
パンツ状衣類を前記画室の１つ内に吊すために前記キャビネットに連結自在の支持バーを更に含む請求項１１に記載の衣類処理装置。
【請求項１５】
前記ドアは、ドア内側凹部画室を画定する内面を有しており、該ドア内側凹部画室を前記内部領域から分離するための内部ドアが前記キャビネットにヒンジによって連結されており、該ドア内側凹部画室内に吊された衣類を処理するために該ドア内側凹部画室内へ湿り空気及び加熱空気を供給することができるように該ドア内側凹部画室内に衣類を支持するための支持バーが設けられている請求項１に記載の衣類処理装置。
【請求項１６】
ハンガーにより支持された衣類が胴部と袖とを含み、
膨満自在の袋が、膨満すると衣類の胴部の実質的に全体を内部領域の内側両側面に当ててプレスするようになっている請求項１に記載の衣類処理装置。
【請求項１７】
膨満自在の袋が、衣類を内部領域の内側両側面に向けて移動させ、衣類を該内部領域の内側両側面に当ててプレスするようになっている請求項１に記載の衣類処理装置。
【請求項１８】
衣類を受け入れるための、対向した内側両側面を有する内部領域を画定するキャビネットと、前記キャビネットに蝶着されたドアと、
前記内部領域を、何れも対向した内側両側面を有する２つの画室に分離する仕切壁と、
一方の画室の内部の衣類を支持する第１ハンガーにして、該一方の画室の対向した内側両側面に当てて衣類をプレスするための膨満自在の袋部分を有する第１ハンガーと、
他方の画室の内部の衣類を支持する第２ハンガーにして、該他方の画室の対向した内側両側面に当てて衣類をプレスするための膨満自在の袋部分を有する第２ハンガーと、
キャビネットに支持された水分発生器にして、キャビネットの内部領域の内部に入れられた衣類を加湿する湿り空気を該内部領域に導入する水分発生器と、
キャビネットによって支持されており、衣類を前記キャビネットの前記内側両側面に当ててプレスするために前記膨満自在の袋を膨満させるためのブロアと、
キャビネットの内部領域内に入れられた衣類を乾燥させるために該内部領域へ加熱空気を導入するための加熱空気導入手段と、
を含む請求項１に記載の衣類処理装置。
【請求項１９】
キャビネット内に入れられる衣類は袖付き衣類であり、各画室内で該衣類の袖を引張るための引張り手段を含む請求項１８に記載の衣類処理装置。
【請求項２０】
制御手段にして、前記内部領域内に湿り空気を導入するために、湿り空気を前記内部領域内に導入するための手段を作動させるとともに、前記膨満自在の袋を周期的に膨満させるために前記ブロアを間欠的に作動させるスチーム付与時間と、前記膨満自在の袋を膨満させるために前記ブロアを作動させるプレス時間と、該プレス時間中、加熱空気を前記内部領域内へ導入するために前記加熱空気導入手段を作動させる乾燥時間と、を設定するための制御手段と、
を更に含む請求項１８に記載の衣類処理装置。
【請求項２１】
パンツ状衣類を前記画室の１つ内に吊すために前記キャビネットに連結自在の支持バーを更に含む請求項１８に記載の衣類処理装置。
【請求項２２】
キャビネットの、対向した内側両側面を有する内部領域内で、膨満自在のハンガーに掛けられた、胴部及び袖部を有する衣類をしわとりするための方法であって、
膨満自在のハンガーを膨満させること、
該膨満自在のハンガーを膨満させることにより、該膨満自在のハンガーと、前記内部領域の内側両側面との間で衣類をプレスして該衣料をしわとりすること、
を含む方法。
【請求項２３】
スチーム付与時間においてキャビネットの内部領域内に水分を供給すること、
スチーム付与時間の間、周期的時点で膨満自在のハンガーを膨満させて衣類に圧力を加えること、
膨満自在のハンガーを膨満させて衣類に圧力を加える間において、衣類がしわとりされて平滑となるような所定の時間、該衣類に圧力を加えること、
を含む請求項２２に記載の方法。
【請求項２４】
衣類がしわとりされて平滑となるような所定の時間、該衣類に圧力を加えた後、キャビネットの内部領域に加熱空気を供給すること、
を更に含む請求項２２に記載の方法。
【請求項２５】
少なくとも、衣類がしわとりされて平滑となるような所定の時間衣類に圧力を加える間において、キャビネットの内部領域に加熱空気を供給することを更に含む請求項２２に記載の方法。
【請求項２６】
スチーム付与時間の間、キャビネットの内部領域に加熱空気を間欠的に供給することを更に含む請求項２２に記載の方法。
【請求項２７】
袖支持バーの周りで衣類の袖を引張り、袖をプレスのための平滑な状態とすることを更に含むを請求項２２に記載の方法。